(57)【要約】【課題】    ヘルメットにブザーを取り付けることに伴うヘルメットから突出する部位の量を減少させて、見栄えを良好にすると共に、ブザーへの衝撃による損傷を防ぐことができるヘルメットを提供する。【解決手段】    ヘルメットＡは、ブザー６と、このブザー６の駆動電源である電池８と、オン、オフするスイッチ５と、このスイッチ５がオンしたときにブザー６の音を発するように制御するブザー制御回路７とを備えたヘルメットＡであって、ブザー６を取り付けるベース２０と、このベース２０に取り付けられ、ブザー６を覆い、外方に臨むように設けられたカバー３４と、ベース２０は、ヘルメット本体１の表裏を貫く開口部の縁部である開口部縁部に取り付けられているものである。【選択図】図１
0003119264.tif 000002
【実用新案登録請求の範囲】
【請求項１】
ブザーと、
このブザーの駆動電源である電池と、
オン、オフするスイッチと、
このスイッチがオンしたときに前記ブザーの音を発するように制御するブザー制御回路とを備えたヘルメットであって、
前記ブザーを取り付けるベースと、
このベースに取り付けられ、前記ブザーを覆い、外方に臨むように設けられたカバーと、
前記ベースは、前記ヘルメット本体の表裏を貫く開口部の縁部である開口部縁部に取り付けられている
ことを特徴とするヘルメット。
【請求項２】
ブザー制御回路及びこのブザー制御回路の電源部である電池を収納したブザー収納体と、
このブザー収納体は、ヘルメット本体の裏面に取り付けられ、
緩衝材は、前記ブザー収納体を収納する部位を残して、前記ヘルメット本体の裏面の全体に亘って設けられると共に、前記ブザー収納体は、前記緩衝材より突出しない位置にあり、
前記ブザー収納体は、着脱自在な蓋で覆われ、該蓋は、被着者の頭に面している
ことを特徴とする請求項１記載のヘルメット。
【考案の詳細な説明】
【技術分野】
【０００１】
本考案は、ヘルメットに係り、特に、ヘルメットにブザーを取り付けることに伴うヘルメットから突出する部位の量を減少させて、見栄えを良好にすると共に、ブザーへの衝撃による損傷を防ぐことができるヘルメットに関する。
【背景技術】
【０００２】
従来、ヘルメットにブザーを装着したものがある（例えば、特許文献１参照）。
これは、ヘルメットに超音波受信器、ブザー等を取り付けたもので、作業用車両に作業員が近づき危険領域に入った場合、作業用車両から超音波を発し、この超音波を超音波受信器が受信してブザーを作動させ、ヘルメットの装着者に危険を知らせるものである。
しかしながら、上述したヘルメットにあっては、ヘルメットの装着者に危険が生じたとき、ヘルメットの装着者から他の者に危険等を知らせることができないという問題点が生じた。
【特許文献１】特開平７−２６０９３４号公報
【考案の開示】
【考案が解決しようとする課題】
【０００３】
本考案は、前記した問題点を除去するようにしたヘルメットを提供することを目的としている。
【課題を解決するための手段】
【０００４】
前記した目的を達成するための請求項１記載のヘルメットは、ブザーと、このブザーの駆動電源である電池と、オン、オフするスイッチと、このスイッチがオンしたときに前記ブザーの音を発するように制御するブザー制御回路とを備えたヘルメットであって、前記ブザーを取り付けるベースと、このベースに取り付けられ、前記ブザーを覆い、外方に臨むように設けられたカバーと、前記ベースは、前記ヘルメット本体の表裏を貫く開口部の縁部である開口部縁部に取り付けられているものである。
【０００５】
また、請求項２記載のヘルメットは、請求項１記載のヘルメットにおいて、ブザー制御回路及びこのブザー制御回路の電源部である電池を収納したブザー収納体と、このブザー収納体は、ヘルメット本体の裏面に取り付けられ、緩衝材は、前記ブザー収納体を収納する部位を残して、前記ヘルメット本体の裏面の全体に亘って設けられると共に、前記ブザー収納体は、前記緩衝材より突出しない位置にあり、前記ブザー収納体は、着脱自在な蓋で覆われ、該蓋は、被着者の頭に面しているものである。
【考案の効果】
【０００６】
請求項１記載のヘルメットによれば、ヘルメットの装着者に危険が生じたとき、スイッチをオンすることにより、他の者に危険等を知らせることができ、しかも、ブザーを取り付けるベースを、ヘルメット本体の表裏を貫く開口部の縁部である開口部縁部に取り付けたため、ヘルメットにブザーを取り付けることに伴うヘルメット本体から突出する部位の量を減少させて、見栄えを良好にすると共に、ヘルメット本体から突出する部位の量が減少している分、該突出する部位への衝突を防いで、ブザーへの衝撃による損傷を防ぐことができる。
【０００７】
また、請求項２記載のヘルメットによれば、上述した請求項１記載の考案の効果に加え、緩衝材は、ブザー収納体を収納する部位を残して、ヘルメット本体の裏面の全体に亘って設けられると共に、前記ブザー収納体は、前記緩衝材より突出しない位置にあるため、ブザー収納体を効率良く配置することができ、ブザー収納体は、着脱自在な蓋で覆われ、該蓋は、被着者の頭に面しているため、電池交換を容易に行うことができる。
【考案を実施するための最良の形態】
【０００８】
本考案の一実施例の履物を図面を参照して説明する。
図１乃至図１０において、Ａはヘルメットで、ヘルメットＡは、概略的に、ヘルメットＡの装着者の頭を保護するヘルメット本体１と、後述するブザー収納体１００を収納する部位を残して、ヘルメット本体１の裏面の全体に亘って設けられる緩衝体（例えば、発泡スチロール）２と、この緩衝体２に付着され、装着者の頭との接触を緩和するスポンジ体３と、ヘルメット本体１を装着者の頭に取り付ける取付部材４とから構成されている。
【０００９】
ヘルメットＡは、図３に示すスイッチ５がオンしたときにブザー６の音を発するように制御するブザー制御回路７とを備えている。８は、ブザー６の駆動電源である電池である。
スイッチ５の一方の端子５ａは、ブザー制御回路７の一方の入力端子に、リード線１０を介して接続され、スイッチ５の他方の端子５ｂは、電池８の一方の端子に、リード線９を介して接続されている。また、電池８の他方の端子は、ブザー制御回路７の他方の入力端子に接続され、ブザー６は、ブザー制御回路７の出力端子にリード線１１、１２を介して接続されている。スイッチ５がオンされると、ブザー制御回路７内の半導体スイッチ（図示せず）により、ブザー６に鳴動させる信号が発せられ、ブザー６が音を発するようになっている。
【００１０】
ブザー６は、図７乃至図１０に示すように、ベース２０に取り付けられている。このベース２０は、図８に示すように、ヘルメット本体１の表裏を貫く開口部１０の縁部である開口部縁部１０ａに取り付けられている（ベース２０は、例えば、開口部縁部１０ａに接着剤により接着されている。）。
また、ブザー６は、ベース２０に取り付けられたカバー３４により覆われている。カバー３４は、外方に臨むように設けられ、カバー３４の表面に開口部３４ａが設けられている。カバー３４のベース２０への取付は、例えば、ベース２０に設けられた穴２０ａにカバー３４の突部３４ｂを嵌合して行う。
【００１１】
カバー３４の外周には、回動するリング部材３５が設けられ、リング部材３５の裏面に突出部３５ａが設けられている。５ｂは一方の端子５ａに接離自在なスイッチ５の他方の端子で、ベース２０に取り付けられている（図９参照）。
従って、ヘルメットＡの装着者が、危険を察知してリング部材３５を回動すれば、突出部３５ａが他方の端子５ｂに当接して、他方の端子５ｂを一方の端子５ａに接触させて、スイッチ５は、オンの状態となる（図１０参照）。
その結果、ブザー制御回路７内の半導体スイッチ（図示せず）により、ブザー６に鳴動させる信号が発せられ、ブザー６が音を発し、周囲の人に危険を知らせる防犯効果のみならず地震等の災害時、ブザー６の音で、人の存在を知らせる防災救済対策効果をも図ることができる。
【００１２】
上述したヘルメットＡによれば、ヘルメットＡの装着者に危険が生じたとき、つまり、リング部材３５を図９の状態から図１０の状態に回動して、スイッチ５をオンすることにより、ヘルメットＡの装着者から他の者に危険等を知らせることができ、しかも、ブザー６を取り付けるベース２０を、ヘルメット本体１の表裏を貫く開口部１０の縁部である開口部縁部１０ａに取り付けたため、ヘルメットＡにブザー６を取り付けることに伴うヘルメット本体１から突出する部位の量を減少させて、見栄えを良好にすると共に、ヘルメット本体１から突出する部位の量が減少している分、該突出する部位への衝突を防いで、ブザー６への衝撃による損傷を防ぐことができる。
【００１３】
また、図１、図２、図６及び図８に示す１００は、図３記載のブザー制御回路７及びブザー制御回路７の電源部である電池８を収納したブザー収納体で、ブザー収納体１００は、例えば、開閉自在な蓋１０１を有している。該蓋１０１は、ヘルメットＡの被着者の頭に面している。また、ブザー収納体１００は、ヘルメット本体１の裏面に取り付けられている（取付は、例えば、両面テープ１００ａである。）。ブザー収納体１００の取り付け部位は、緩衝体（例えば、発泡スチロール）２が欠如したヘルメット本体１の裏面で、例えば、ヘルメットＡの後側に位置している。
なお、ブザー制御回路７、電池８及びブザー６は、図３に記載と同様、リード線８、９、１１、１２、スイッチ５を介して接続されている。リード線８、９、１１、１２は、ヘルメット本体１と緩衝体２との間に位置している（図４参照）。
従って、緩衝材２は、ブザー収納体１００を収納する部位を残して、ヘルメット本体１の裏面の全体に亘って設けられると共に、ブザー収納体１００は、緩衝材２より突出しない位置にあるため、ブザー収納体１００を効率良く配置することができ、内部収納体１００の開口部１０１は、着脱自在な蓋１０２で覆われ、該蓋１０２は、被着者の頭に面しているため、蓋１０２を開けて、電池８を容易に交換することができる。
【図面の簡単な説明】
【００１４】
【図１】図１は、本考案の一実施例であるヘルメットを装着した状態の概略的一部側断面図である。
【図２】図２は、図１のヘルメットの裏面の概略的図である。
【図３】図３は、図１のブザーを動作させる概略的制御図である。
【図４】図４は、図２の４−４線による概略的断面図である。
【図５】図５は、ブザー収納体の取り付け状態を説明するための概略的図である。
【図６】図６（ａ）は、図１の矢印Ｘ方向から見た概略的図であり、図６（ｂ）は、 図６（ａ）に記載のブザー収納体の蓋を外した状態の概略的図である。
【図７】図７は、図１の７−７線による概略的断面図である。
【図８】図８は、図１の一部を分解して示す概略的一部分解斜視図である
【図９】図９は、図６のブザーのオフ状態の概略的図で、（ａ）は概略的側面図で、（ｂ）は概略的断面図である。
【図１０】図１０は、図６のブザーのオン状態の概略的図で、（ａ）は概略的側面図で、（ｂ）は概略的断面図である。
【符号の説明】
【００１５】
Ａ    …………ヘルメット
５    …………スイッチ
６    …………ブザー
【図１】
0003119264.tif 000003
【図２】
0003119264.tif 000004
【図３】
0003119264.tif 000005
【図４】
0003119264.tif 000006
【図５】
0003119264.tif 000007
【図６】
0003119264.tif 000008
【図７】
0003119264.tif 000009
【図８】
0003119264.tif 000010
【図９】
0003119264.tif 000011
【図１０】
0003119264.tif 000012